(57)【要約】【課題】  雰囲気温度変化時に、レンズホルダアセンブリのラジアル及びタンジェンシャル方向への傾き補正が可能な対物レンズアクチュエータを得る。【解決手段】  短辺側立ち上げ部３１を有するベース２と、短辺側立ち上げ部３１に固着されたＰＣＢ５と、ゲルホルダ４と、ＰＣＢ５に固着された複数のワイヤ６と、各ワイヤ６の他端部が固着されているレンズホルダアセンブリ８と、レンズホルダアセンブリ８を駆動する駆動機構と、を備えた対物レンズアクチュエータ。垂直立ち上げ部３１とＰＣＢ５との固着面はＰＣＢ５の長さ方向中間部にあり、ＰＣＢ５の非固着部にそれぞれワイヤ６が固着され、ゲルホルダ４は、非固着部に当接することができる突出部４１、４２、４３、４４を有し、突出部４１、４２、４３、４４は、熱膨張率がＰＣＢ５の前記固着面の熱膨張率よりも高い素材からなる。【選択図】  図１
2010267314.tif 000002
【特許請求の範囲】
【請求項１】
垂直立ち上げ部を有するベースと、
前記垂直立ち上げ部の外側表面に固着された弾性部材支持体と、
前記垂直立ち上げ部の内側表面に隣接するように前記ベース上に取り付けられたホルダ部材と、
前記弾性部材支持体に一端部が固着されて互いに平行に伸びる複数の弾性部材と、
対物レンズを保持するとともに前記各弾性部材の他端部が固着されている対物レンズホルダと、
前記対物レンズホルダをフォーカス方向およびトラッキング方向に駆動する駆動機構と、を備え、
前記垂直立ち上げ部の外側表面と前記弾性部材支持体との固着面は前記弾性部材支持体の長さ方向の中間部にあり、
前記弾性部材支持体は前記固着面より両側に伸びた非固着部を有するとともに前記非固着部にそれぞれ前記弾性部材の一端部が固着され、
前記ホルダ部材は、前記弾性部材支持体の前記非固着部に当接することができる突出部を有し、
前記突出部は、熱膨張率が前記弾性部材支持体の前記固着面の熱膨張率よりも高い素材からなる対物レンズアクチュエータ。
【請求項２】
前記ホルダ部材の突出部は、前記固着面を挟んで上下左右に合計４か所ある請求項１記載の対物レンズアクチュエータ。
【請求項３】
前記ホルダ部材の前記突出部は、前記固着面を挟んで上側の左右または下側の左右の合計２か所において前記非固着部に当接している請求項２記載の対物レンズアクチュエータ。
【請求項４】
前記ホルダ部材の前記突出部は、前記固着面の対角線上に位置する２か所において前記非固着部に当接している請求項２記載の対物レンズアクチュエータ。
【請求項５】
前記ホルダ部材の前記突出部のうち１か所のみが前記非固着部に当接している請求項２記載の対物レンズアクチュエータ。
【請求項６】
前記ホルダ部材は、緩衝部材としてのゲルを収納したゲルホルダである請求項１記載の対物レンズアクチュエータ。
【請求項７】
前記ゲルホルダ及び前記ゲルホルダに形成された前記突出部は樹脂からなる請求項６記載の対物レンズアクチュエータ。
【請求項８】
前記弾性部材支持体は回路基板からなり、前記アクチュエータの制御電流が前記弾性部材と前記回路基板の回路パターンを介して供給されるように構成されている請求項７記載の対物レンズアクチュエータ。
【発明の詳細な説明】
【技術分野】
【０００１】
本発明は、情報信号を光学的に記録、再生する装置に用いられる光ピックアップの対物レンズアクチュエータ部分に関するもので、特に、雰囲気温度変化時に、レンズホルダアセンブリのラジアル方向及びタンジェンシャル方向への傾き補正が可能な対物レンズアクチュエータに関するものである。
【背景技術】
【０００２】
ＣＤやＤＶＤ等の光ディスクをドライブする光ディスク装置における光ピックアップは、光ディスクの記録面にビームスポットを形成するため、各種の光学系部品が組み合わされて構成されている。
【０００３】
図１５及び図１６は、従来の光ピックアップに用いられる対物レンズアクチュエータの一般的な構成の概要を示す図である。対物レンズアクチュエータは、アクチュエータベース（以下、単に「ベース」という）２、ゲルホルダ４、プリント配線基板（以下、「ＰＣＢ」と称する。）５、ワイヤ６、対物レンズ７やフォーカスコイル８１等を保持したレンズホルダアセンブリ８、及びマグネット１１、１２を取り付けることで形成されている。
【０００４】
ベース２は、金属板を打ち抜き、また折り曲げて形成されていて、図示しない適宜の送り装置によりディスクの半径方向（図１５におけるトラッキング方向Ｔ）に移動できるようになっている。ベース２の長手方向の一端部上面には、ホルダ取り付け部３が設けられている。ホルダ取り付け部３は、ベース２の短辺から垂直に立ち上がる短辺側立ち上げ部３１と、その近傍に位置し長辺から垂直に立ち上がる２つの長辺側立ち上げ部３２と、により形成される。また、ベース２の長さ方向中間部には、ベース２の底部から垂直に、かつ短辺に対して平行となるよう立ち上がる２つのマグネット取り付け部２１、２２が設けられている。マグネット取り付け部２１、２２は、比較的大きな間隔をおいて離間している。
【０００５】
マグネット取り付け部２１、２２の互いに向かい合う面には、永久磁石であるマグネット１１、１２が接着剤等により固着されている。マグネット１１、１２は縦長の長方形状をしていて、ベース２底面に対する垂直方向に長手方向を向けた姿勢で、それぞれマグネット取り付け部２１、２２に固着されている。一対のマグネット取り付け部２１、２２は比較的大きな間隔をおいて離間しているため、それぞれのマグネット取り付け部２１、２２に固着されているマグネット１１、１２も、比較的大きな間隔をおいて配置されている。マグネット１１、１２の間隔は、後述するレンズホルダアセンブリ８のコイル９、１０が侵入できる程度に十分に広い間隔となっている。
【０００６】
ベース２の短辺側立ち上げ部３１の外側面には、剛性の小さい長板状の部材であるＰＣＢ５が、エポキシ接着剤を熱硬化させることにより取り付けられている。ＰＣＢ５は、短辺側立ち上げ部３１の立ち上がり方向に長手方向を直交させつつ、中央部（以下、「固定部」とも称する。）５１が短辺側立ち上げ部３１に固着されている。そして、ＰＣＢ５の両端部（以下、「フローティング部」とも称する。）５２は、他の部材から離間したフローティング状態となっていて、外部からの押圧力を受けて撓むことが可能となっている。このＰＣＢ５のフローティング部５２に、４本のワイヤ６が互いに平行に取り付けられている。
【０００７】
ワイヤ６は、腰のある金属性のワイヤであり、一端がＰＣＢ５のフローティング部５２に半田付けされるとともに、他端が後述するレンズホルダアセンブリ８の側面に半田付けされることで、レンズホルダアセンブリ８をＰＣＢ５に対して片持ち状に弾性的に支持するための部材である。なお、ワイヤ６の弾性力に加え、ＰＣＢ５の端部の弾性力も、レンズホルダアセンブリ８を弾性的に支持することに貢献している。ワイヤ６は、後述するレンズホルダアセンブリ８のフォーカスコイル８１及びトラッキングコイル９、１０に制御電流を供給するための電路としても機能する。また、ワイヤ６は、ＰＣＢ５とレンズホルダアセンブリ８との間において、ベース２のホルダ取り付け部３に取り付けられたゲルホルダ４を貫通している。
【０００８】
ゲルホルダ４は、略直方体状の形状を有し、内部に充填されているゲル状緩衝剤により光ピックアップ１の振動を軽減するための部材である。ゲルホルダ４の前端側（ＰＣＢ５側）の両端部に貫通孔が４つ設けられていて、ワイヤ６はこの貫通孔を通過し、レンズホルダアセンブリ８の側面にそれぞれ半田付けにより固定されている。
【０００９】
レンズホルダアセンブリ８は、中央部分に四角形状の開口部が形成された略直方体状の形状を有する部材であり、対物レンズ７と複数のコイルを保持するとともに、上述した４本のワイヤ６によって弾性的に片持ち状に支持されている。レンズホルダアセンブリ８は、レンズホルダアセンブリ８に取り付けられた複数のコイルと、ベース２に取り付けられた複数のマグネットの相互作用を利用する電磁駆動方式により、フォーカス方向Ｆ及びトラッキング方向Ｔに駆動される。なお、本説明においては２軸駆動であるが、３軸駆動の場合は、ラジアル方向（チルト方向）にも駆動される。レンズホルダアセンブリ８を駆動するための複数のコイル及びマグネットを総称して、アクチュエータと称する。また、図１５においては、アクチュエータのうちレンズホルダアセンブリ８をフォーカス方向Ｆ及びトラッキング方向Ｔに駆動するためのフォーカスコイル８１、トラッキングコイル９、１０及びマグネット１１、１２のみを図示している。
【００１０】
対物レンズ７は、レンズホルダアセンブリ８の前端側に固定されこれと一体に移動するレンズ部材であり、対物レンズ７の光軸方向は、ベース２の底面に直交する方向である。対物レンズ７の取り付け部位の後方に、上述した四角形状の開口部が設けられている。
【００１１】
フォーカスコイル８１は、レンズホルダアセンブリ８の上述した開口部の周辺に巻き回されている。
【００１２】
トラッキングコイル９、１０は、レンズホルダアセンブリ８の上述した開口部の内部に、対物レンズ７、開口部の前端側、及び、後端側の内壁に対し、所定の間隔を空けつつ並べて設けられている。
【００１３】
開口部の前端側内壁とトラッキングコイル９、１０との間隔に、マグネット取り付け部２１及びマグネット１１が挿入される。また、トラッキングコイル９、１０と開口部の後端側内壁との間隔に、レンズホルダアセンブリ８の開口部に巻かれたフォーカスコイルの一辺、マグネット取り付け部２２及びマグネット１２が挿入される。
【００１４】
このような対物レンズアクチュエータ１においては、雰囲気温度が常温から変化した場合、レンズホルダアセンブリ８の傾きが変化することがある。レンズホルダアセンブリ８の傾き変化の原因としては、レンズホルダアセンブリ８の熱膨張による変形や、各部の固着に用いられている接着剤の特性変化等、複数の原因が考えられる。
【００１５】
このような傾きが発生すると、ディスクと対物レンズ７との位置関係が変化し、対物レンズアクチュエータ１の性能が悪化する恐れがある。そのため、レンズホルダアセンブリ８の傾きの発生を効果的に防止することが必要となるが、上述したようにその原因は様々であり、個別に対処するのは材料面での性能限界や、設計面での制約などにより、困難であった。
【００１６】
そこで、特許文献１記載の発明においては、ＰＣＢの取り付け部分を熱膨張率の異なる２つの部材により構成することで、レンズホルダアセンブリのタンジェンシャル方向の傾きを補正することが行われている。具体的には、ＰＣＢの取り付け部位を上下に２つに分け、上部取り付け部位を熱膨張率の高い部材、下部取り付け部位を熱膨張率の低い部材により形成している。そして、レンズホルダアセンブリのタンジェンシャル＋方向への傾きが発生した場合、上部取り付け部位が下部取り付け部位よりも突出することで、ＰＣＢが、タンジェンシャル−方向に傾けられる。これにより、ＰＣＢの上部に固定されているワイヤを介して傾いたレンズホルダアセンブリが引き上げられ、タンジェンシャル方向への傾きが補正される。
【００１７】
なお、本明細書中において、タンジェンシャル＋方向とは、レンズホルダ８のＰＣＢ５に対向する側が下がるときの傾き方向を、タンジェンシャル−方向とは、レンズホルダ８のＰＣＢ５に対向する側が上がるときの傾き方向を、ラジアル＋方向とは、ＰＣＢ５から見てレンズホルダ８が右下がりになるときの傾き方向を、ラジアル−方向とは、ＰＣＢ５から見てレンズホルダ８が左下がりになるときの傾き方向を、フォーカス＋方向とは、レンズホルダ８がディスクに近づく方向を、そしてフォーカス−方向とは、レンズホルダ８がディスクから遠ざかる方向を示す。
【先行技術文献】
【特許文献】
【００１８】
【特許文献１】特開２００５−１１６０７３号公報
【発明の概要】
【発明が解決しようとする課題】
【００１９】
しかし、上述した特許文献１記載の発明においては、タンジェンシャル＋及び−方向の傾き補正が行われるのみであり、レンズホルダアセンブリが他の方向に傾いた場合には、傾き補正をすることができなかった。
【００２０】
本発明は、上記課題を鑑みてなされたものであって、雰囲気温度変化時に、可動体のラジアル方向及びタンジェンシャル方向への傾き補正が可能な対物レンズアクチュエータを提供することを目的とする。
【課題を解決するための手段】
【００２１】
本発明は、垂直立ち上げ部を有するベースと、前記垂直立ち上げ部の外側表面に固着された弾性部材支持体と、前記垂直立ち上げ部の内側表面に隣接するように前記ベース上に取り付けられたホルダ部材と、前記弾性部材支持体に一端部が固着されて互いに平行に伸びる複数の弾性部材と、対物レンズを保持するとともに前記各弾性部材の他端部が固着されている対物レンズホルダと、前記対物レンズホルダをフォーカス方向およびトラッキング方向に駆動する駆動機構と、を備え、前記垂直立ち上げ部の外側表面と前記弾性部材支持体との固着面は前記弾性部材支持体の長さ方向の中間部にあり、前記弾性部材支持体は前記固着面より両側に伸びた非固着部を有するとともに前記非固着部にそれぞれ前記弾性部材の一端部が固着され、前記ホルダ部材は、前記弾性部材支持体の前記非固着部に当接することができる突出部を有し、前記突出部は、熱膨張率が前記弾性部材支持体の前記固着面の熱膨張率よりも高い素材からなる対物レンズアクチュエータであることを最も主要な特徴とする。
【００２２】
本発明においては特に限定されないが、前記ホルダ部材の突出部は、前記固着面を挟んで上下左右に合計４か所あることが好ましい。
【００２３】
また、本発明においては特に限定されないが、前記ホルダ部材の前記突出部は、前記固着面を挟んで上側の左右または下側の左右の合計２か所において前記非固着部に当接していることが好ましい。
【００２４】
また、本発明においては特に限定されないが、前記ホルダ部材の前記突出部は、前記固着面前記固着面の対角線上に位置する２か所において前記非固着部に当接していることが好ましい。
【００２５】
また、本発明においては特に限定されないが、前記ホルダ部材の前記突出部のうち１か所のみが前記非固着部に当接していることが好ましい。
【００２６】
また、本発明においては特に限定されないが、前記ホルダ部材は、緩衝部材としてのゲルを収納したゲルホルダであることが好ましい。
【００２７】
また、本発明においては特に限定されないが、前記ゲルホルダ及び前記ゲルホルダに形成された前記突出部は樹脂からなることが好ましい。
【００２８】
また、本発明においては特に限定されないが、前記弾性部材支持体は回路基板からなり、前記アクチュエータの制御電流が前記弾性部材と前記回路基板の回路パターンを介して供給されるように構成されていることが好ましい。
【発明の効果】
【００２９】
本発明によれば、雰囲気温度変化時に、可動体のラジアル方向及びタンジェンシャル方向への傾き補正が可能な対物レンズアクチュエータを提供することができる。
【図面の簡単な説明】
【００３０】
【図１】本発明の第１の実施例に係る対物レンズアクチュエータを示す斜視図である。
【図２】図１の対物レンズアクチュエータの後方斜視図である。
【図３】図１の対物レンズアクチュエータの構成部材の分解斜視図である。
【図４】図１の対物レンズアクチュエータのベース、ゲルホルダ及びＰＣＢを示す分解斜視図である。
【図５】図１の対物レンズアクチュエータからレンズホルダアセンブリを除いた構成を示す分解斜視図である。
【図６】第１の実施例に係る対物レンズアクチュエータの雰囲気温度変化時の傾き方向を示す側面図である。
【図７】本発明の第２の実施例に係る対物レンズアクチュエータからレンズホルダアセンブリを除いた構成を示す分解斜視図である。
【図８】第２の実施例に係る対物レンズアクチュエータの雰囲気温度変化時の傾き方向を示す側面図である。
【図９】第３の実施例に係る対物レンズアクチュエータからレンズホルダアセンブリを除いた構成を示す分解斜視図である。
【図１０】第４の実施例に係る対物レンズアクチュエータからレンズホルダアセンブリを除いた構成を示す分解斜視図である。
【図１１】第５の実施例に係る対物レンズアクチュエータからレンズホルダアセンブリを除いた構成を示す分解斜視図である。
【図１２】第６の実施例に係る対物レンズアクチュエータからレンズホルダアセンブリを除いた構成を示す分解斜視図である。
【図１３】第７の実施例に係る対物レンズアクチュエータからレンズホルダアセンブリを除いた構成を示す分解斜視図である。
【図１４】第８の実施例に係る対物レンズアクチュエータからレンズホルダアセンブリを除いた構成を示す分解斜視図である。
【図１５】従来の対物レンズアクチュエータを示す斜視図である。
【図１６】従来の対物レンズアクチュエータにおいてベースにＰＣＢを取り付けるための構成を示す斜視図である。
【発明を実施するための形態】
【００３１】
以下、本発明に係る対物レンズアクチュエータの実施例について、図を用いて説明する。なお、上述した従来の対物レンズアクチュエータと同じ構成部分については、同じ符号を付した。
【００３２】
＜第１の実施例＞
第１の実施例は、図６において矢印で示すように、レンズホルダアセンブリ８が、雰囲気温度が室温（約２０℃）よりも高くなったときにタンジェンシャル−方向に傾く性質を有する場合に、これらの傾きを効果的に補正することのできる対物レンズアクチュエータ１に関するものである。なお、本発明の第１の実施例に係る対物レンズアクチュエータは、ゲルホルダ４の形状を除き、従来の対物レンズアクチュエータと同様の構成であるため、以下、ゲルホルダ４の形状を中心に説明する。
【００３３】
図１〜図６は、本発明の第１の実施例に係る対物レンズアクチュエータ１の構成を示している。本実施例に係る対物レンズアクチュエータ１のゲルホルダ４は、従来の対物レンズアクチュエータのゲルホルダと同様に、樹脂より成る部材であり、両端部の内部空間にゲル状緩衝剤が充填されている。しかし、従来の対物レンズアクチュエータのゲルホルダと異なり、本実施例におけるゲルホルダ４は、４つの突出部４１、４２、４３、４４がゲルホルダ４の前端部に突出して形成されている。
【００３４】
突出部４１、４２、４３、４４は、ベース２の短辺側立ち上げ部３１を挟み込むことができる程度の間隔を空けて、ＰＣＢ５側に突出している。これらの突出部のうち、下方（フォーカス＋方向）に位置する２つの突出部４３、４４は、室温環境下においては短辺側立ち上げ部３１の外側平面と同じ高さであり、短辺側立ち上げ部３１の外側平面とともに、ＰＣＢ５に当接している。突出部４３、４４は、エポキシ接着剤を用いてＰＣＢ５に固着されている。一方、突出部４１、４２は、突出部４３、４４よりも短く形成されていて、雰囲気温度が変化してもＰＣＢ５に当接しないようになっている。
【００３５】
このような対物レンズアクチュエータでは、ＰＣＢ５は、室温環境下においてはフォーカス方向Ｆ及びトラッキング方向Ｔに対して平行となるように、短辺側立ち上げ部３１及び２つの突出部４３、４４により保持されている。
【００３６】
短辺側立ち上げ部３１はベース２と同じ金属素材で形成されている。一方、２つの突出部４３、４４は、ベース２の金属素材よりも熱膨張率の高い、ゲルホルダ４と同じ樹脂素材で形成されている。
【００３７】
雰囲気温度が室温よりも高くなった場合には、上述したようにレンズホルダアセンブリ８はタンジェンシャル−方向に傾く。一方、突出部４３、４４は、短辺側立ち上げ部３１の金属素材よりも熱膨張率の高い樹脂素材で形成されているため、突出部４３、４４が短辺側立ち上げ部３１の前端側表面よりも突出しＰＣＢ５の下方を押圧し、ＰＣＢ５をタンジェンシャル＋方向に傾ける。
【００３８】
ＰＣＢ５がタンジェンシャル＋方向に傾くと、ワイヤ６を介してレンズホルダアセンブリ８にもタンジェンシャル＋方向への傾きが発生する。このタンジェンシャル＋方向への傾きにより、雰囲気温度の上昇に伴うレンズホルダアセンブリ８のタンジェンシャル−方向への傾きを相殺し、レンズホルダアセンブリ８を平行に保つことができる。
【００３９】
なお、本実施例においては、突出部４３、４４がそれぞれエポキシ接着剤を用いてＰＣＢ５に固着されているが、本発明においてはこれに限らず、他の種類の接着剤や、ビス等の固定手段を用いても良い。また、突出部４３、４４をＰＣＢ５に固定せず、当接しているだけの状態としても良い。さらに、突出部４１、４２を設けない構成としても良い。
【００４０】
＜第２の実施例＞
第２の実施例は、図８において矢印で示すように、レンズホルダアセンブリ８が、雰囲気温度が室温よりも高くなったときにタンジェンシャル＋方向に傾く性質を有する場合に、これらの傾きを効果的に補正することのできる対物レンズアクチュエータ１に関するものである。なお、本発明の第２の実施例に係る対物レンズアクチュエータは、ゲルホルダ４の突出部４１、４２、４３、４４の形状を除き、第１の実施例の対物レンズアクチュエータと同様の構成であるため、以下、突出部４１、４２、４３、４４の形状を中心に説明する。
【００４１】
第２の実施例においては、図７に示すように、突出部４１、４２が長く形成されるとともに、突出部４３、４４が短く形成されている。突出部４１、４２は、室温環境下において短辺側立ち上げ部３１と同じ高さであり、エポキシ接着剤を熱硬化させることでＰＣＢ５に固着されている。一方、突出部４３、４４は、突出部４１、４２よりも短く形成されていて、雰囲気温度が変化してもＰＣＢ５に当接しないようになっている。
【００４２】
このような対物レンズアクチュエータでは、ＰＣＢ５は、室温環境下においてはフォーカス方向Ｆ及びトラッキング方向Ｔに対して略平行となるよう、短辺側立ち上げ部３１及び２つの突出部４１、４２により保持されている。短辺側立ち上げ部３１はベース２と同じ金属素材で形成されている。一方、２つの突出部４１、４２は、ベース２の金属素材よりも熱膨張率の高い、ゲルホルダ４と同じ樹脂素材で形成されている。
【００４３】
雰囲気温度が室温よりも高くなった場合には、上述したようにレンズホルダアセンブリ８はタンジェンシャル＋方向に傾く。一方、突出部４１、４２は、短辺側立ち上げ部３１の金属素材よりも熱膨張率の高い樹脂素材で形成されているため、突出部４１、４２が短辺側立ち上げ部３１の表面よりも突出しＰＣＢ５の上方を押圧し、ＰＣＢ５をタンジェンシャル−方向に傾ける。
【００４４】
ＰＣＢ５がタンジェンシャル−方向に傾くと、ワイヤ６を介してレンズホルダアセンブリ８にもタンジェンシャル−方向への傾きが発生する。このタンジェンシャル−方向への傾きにより、雰囲気温度の上昇に伴うレンズホルダアセンブリ８のタンジェンシャル＋方向への傾きを相殺し、レンズホルダアセンブリ８を平行に保つことができる。
【００４５】
なお、本実施例においては、突出部４１、４２がそれぞれエポキシ接着剤を用いてＰＣＢ５に固着されているが、本発明においてはこれに限らず、他の種類の接着剤や、ビス等の固定手段を用いても良い。また、突出部４１、４２をＰＣＢ５に固定せず、当接しているだけの状態としても良い。また、突出部４３、４４を設けない構成としても良い。
【００４６】
＜第３の実施例＞
第３の実施例は、レンズホルダ８が、雰囲気温度が室温よりも高くなったときにラジアル−方向に傾く性質を有する場合に、これらの傾きを効果的に補正することのできる光ピックアップ１に関するものである。なお、本発明の第３の実施例に係る光ピックアップは、ゲルホルダ４の突出部４１、４２、４３、４４の形状を除き、第１の実施例の光ピックアップと同様の構成であるため、以下、突出部４１、４２、４３、４４の形状を中心に説明する。
【００４７】
第３の実施例においては、図９に示すように、突出部４１、４４が長く形成されるとともに、突出部４２、４３が短く形成されている。突出部４１、４４は、室温環境下において短辺側立ち上げ部３１と同じ高さであり、エポキシ接着剤を熱硬化させることでＰＣＢ５に固着されている。一方、突出部４２、４３は、突出部４１、４４よりも短く形成されていて、ＰＣＢ５に当接しないようになっている。
【００４８】
このような対物レンズアクチュエータでは、ＰＣＢ５は、室温環境下においてはフォーカス方向Ｆ及びトラッキング方向Ｔに対して略平行となるよう、短辺側立ち上げ部３１及び２つの突出部４１、４４により保持されている。短辺側立ち上げ部３１はベース２と同じ金属素材で形成されている。一方、２つの突出部４１、４４は、ベース２の金属素材よりも熱膨張率の高い樹脂素材で形成されている。
【００４９】
雰囲気温度が室温よりも高くなった場合には、上述したようにレンズホルダアセンブリ８はラジアル−方向に傾く。一方、突出部４１、４４は、短辺側立ち上げ部３１の金属素材よりも熱膨張率の高い樹脂素材で形成されているため、突出部４１、４４が短辺側立ち上げ部３１の表面よりも突出しＰＣＢ５の左上及び右下を押圧し、ＰＣＢ５を、右ねじれの方向に傾ける。
【００５０】
ＰＣＢ５が右にねじれると、ワイヤ６を引っ張り、ＰＣＢ５から見てレンズホルダアセンブリ８の左端が持ち上げられ、右端は下がる方向に傾くため、ラジアル−方向への傾きが補正される。
【００５１】
なお、本実施例においては、突出部４１、４４がそれぞれエポキシ接着剤を用いてＰＣＢ５に固着されているが、本発明においてはこれに限らず、他の種類の接着剤や、ビス等の固定手段を用いても良い。また、突出部４１、４４をＰＣＢ５に固定せず、当接しているだけの状態としても良い。また、突出部４２、４３を設けない構成としても良い。
【００５２】
＜第４の実施例＞
第４の実施例は、レンズホルダ８が、雰囲気温度が室温よりも高くなったときにラジアル＋方向に傾く性質を有する場合に、これらの傾きを効果的に補正することのできる対物レンズアクチュエータ１に関するものである。なお、本発明の第４の実施例に係る対物レンズアクチュエータは、ゲルホルダ４の突出部４１、４２、４３、４４の形状を除き、第１の実施例の光ピックアップと同様の構成であるため、以下、突出部４１、４２、４３、４４の形状を中心に説明する。
【００５３】
第４の実施例においては、図１０に示すように、突出部４２、４３が長く形成されるとともに、突出部４１、４４が短く形成されている。突出部４２、４３は、室温環境下において短辺側立ち上げ部３１と同じ高さであり、エポキシ接着剤を熱硬化させることでＰＣＢ５に固着されている。一方、突出部４１、４４は、突出部４２、４３よりも短く形成されていて、雰囲気温度が変化してもＰＣＢ５に当接しないようになっている。
【００５４】
このような対物レンズアクチュエータでは、ＰＣＢ５は、室温環境下においてはフォーカス方向Ｆ及びトラッキング方向Ｔに対して略平行となるよう、短辺側立ち上げ部３１及び２つの突出部４２、４３により保持されている。短辺側立ち上げ部３１はベース２と同じ金属素材で形成されている。一方、２つの突出部４２、４３は、ベース２の金属素材よりも熱膨張率の高い樹脂素材で形成されている。
【００５５】
雰囲気温度が室温よりも高くなった場合には、上述したようにレンズホルダアセンブリ８はラジアル＋方向に傾く。一方、突出部４２、４３は、短辺側立ち上げ部３１の金属素材よりも熱膨張率の高い樹脂素材で形成されているため、突出部４２、４３が短辺側立ち上げ部３１の表面よりも突出しＰＣＢ５の左下及び右上部分を押圧し、ＰＣＢ５を左ねじれの方向に傾ける。
【００５６】
ＰＣＢ５が左にねじれると、ワイヤ６を引っ張り、ＰＣＢ５から見てレンズホルダアセンブリ８の左端が下げられ、右端は持ち上がる方向に傾くため、ラジアル＋方向への傾きが補正される。
【００５７】
なお、本実施例においては、突出部４２、４３がそれぞれエポキシ接着剤を用いてＰＣＢ５に固着されているが、本発明においてはこれに限らず、他の種類の接着剤や、ビス等の固定手段を用いても良い。また、突出部４２、４３をＰＣＢ５に固定せず、当接しているだけの状態としても良い。また、突出部４１、４４を設けない構成としても良い。
【００５８】
＜第５の実施例＞
第５の実施例は、レンズホルダアセンブリ８が、雰囲気温度が室温よりも高くなったときにタンジェンシャル＋方向及びラジアル−方向に傾く性質を有する場合に、これらの傾きを効果的に補正することのできる対物レンズアクチュエータ１に関するものである。なお、第５の実施例に係る対物レンズアクチュエータは、ゲルホルダ４の突出部４１、４２、４３、４４の形状を除き、第１の実施例の対物レンズアクチュエータと同様の構成であるため、以下、突出部４１、４２、４３、４４の形状を中心に説明する。
【００５９】
第５の実施例においては、図１１に示すように、突出部４１のみが長く形成されるとともに、他の突出部４２、４３、４４が短く形成されている。突出部４１は、室温環境下において短辺側立ち上げ部３１と同じ高さであり、エポキシ接着剤を熱硬化させることでＰＣＢ５に固着される。一方、突出部４２、４３、４４は、突出部４１よりも短く形成されていて、雰囲気温度が変化してもＰＣＢ５に当接しないようになっている。
【００６０】
このような対物レンズアクチュエータでは、ＰＣＢ５は、室温環境下においてはフォーカス方向Ｆ及びトラッキング方向Ｔに対して略平行となるよう、短辺側立ち上げ部３１及び突出部４１により保持されている。短辺側立ち上げ部３１はベース２と同じ金属素材で形成されている。一方、突出部４１は、ベース２の金属素材よりも熱膨張率の高い、ゲルホルダ４と同じ樹脂素材で形成されている。
雰囲気温度が室温よりも高くなった場合には、上述したようにレンズホルダアセンブリ８はタンジェンシャル＋方向及びラジアル−方向に傾く。一方、突出部４１は、短辺側立ち上げ部３１の金属素材よりも熱膨張率の高い樹脂素材で形成されているため、突出部４１が短辺側立ち上げ部３１の表面よりも突出しＰＣＢ５の左上方を押圧し、ＰＣＢ５をタンジェンシャル−方向及びラジアル＋方向に傾ける。
【００６１】
ＰＣＢ５がタンジェンシャル−方向及びラジアル＋方向に傾くと、ワイヤ６を介してレンズホルダアセンブリ８にもタンジェンシャル−方向及びラジアル＋方向への傾きが発生する。このタンジェンシャル−方向及びラジアル＋方向への傾きにより、雰囲気温度の上昇に伴うレンズホルダアセンブリ８のタンジェンシャル＋方向及びラジアル−方向への傾きを相殺し、レンズホルダアセンブリ８を平行に保つことができる。
【００６２】
なお、本実施例においては、突出部４１がエポキシ接着剤を用いてＰＣＢ５に固着されているが、本発明においてはこれに限らず、他の種類の接着剤や、ビス等の固定手段を用いても良い。また、突出部４１をＰＣＢ５に固定せず、当接しているだけの状態としても良い。また、突出部４２、４３、４４を設けない構成としても良い。
【００６３】
＜第６の実施例＞
第６の実施例は、レンズホルダアセンブリ８が、雰囲気温度が室温よりも高くなったときにタンジェンシャル＋方向及びラジアル＋方向に傾く性質を有する場合に、これらの傾きを効果的に補正することのできる対物レンズアクチュエータ１に関するものである。なお、第６の実施例に係る対物レンズアクチュエータは、ゲルホルダ４の突出部４１、４２、４３、４４の形状を除き、第１の実施例の光ピックアップと同様の構成であるため、以下、突出部４１、４２、４３、４４の形状を中心に説明する。
【００６４】
第６の実施例においては、図１２に示すように、突出部４２のみが長く形成されるとともに、他の突出部４１、４３、４４が短く形成されている。突出部４２は、室温環境下において短辺側立ち上げ部３１と同じ高さであり、エポキシ接着剤を熱硬化させることでＰＣＢ５に固着される。一方、突出部４１、４３、４４は、突出部４１よりも短く形成されていて、雰囲気温度が変化してもＰＣＢ５に当接しないようになっている。
【００６５】
このような対物レンズアクチュエータでは、ＰＣＢ５は、室温環境下においてはフォーカス方向Ｆ及びトラッキング方向Ｔ対して略平行となるよう、短辺側立ち上げ部３１及び突出部４２により保持されている。短辺側立ち上げ部３１はベース２と同じ金属素材で形成されている。一方、突出部４２は、ベース２の金属素材よりも熱膨張率の高い、ゲルホルダ４と同じ樹脂素材で形成されている。
【００６６】
雰囲気温度が室温よりも高くなった場合には、上述したようにレンズホルダアセンブリ８はタンジェンシャル＋方向及びラジアル＋方向に傾く。一方、突出部４２は、短辺側立ち上げ部３１の金属素材よりも熱膨張率の高い樹脂素材で形成されているため、突出部４２が短辺側立ち上げ部３１の表面よりも突出しＰＣＢ５の右上方を押圧し、ＰＣＢ５をタンジェンシャル−方向及びラジアル−方向に傾ける。
【００６７】
ＰＣＢ５がタンジェンシャル−方向及びラジアル−方向に傾くと、ワイヤ６を介してレンズホルダアセンブリ８にもタンジェンシャル−方向及びラジアル−方向への傾きが発生する。このタンジェンシャル−方向及びラジアル−方向への傾きにより、雰囲気温度の上昇に伴うレンズホルダアセンブリ８のタンジェンシャル＋方向及びラジアル＋方向への傾きを相殺し、レンズホルダアセンブリ８を平行に保つことができる。
【００６８】
なお、本実施例においては、突出部４２がエポキシ接着剤を用いてＰＣＢ５に固着されているが、本発明においてはこれに限らず、他の種類の接着剤や、ビス等の固定手段を用いても良い。また、突出部４２をＰＣＢ５に固定せず、当接しているだけの状態としても良い。また、突出部４１、４３、４４を設けない構成としても良い。
【００６９】
＜第７の実施例＞
第７の実施例は、レンズホルダアセンブリ８が、雰囲気温度が室温よりも高くなったときにタンジェンシャル−方向及びラジアル＋方向（図１参照）に傾く性質を有する場合に、これらの傾きを効果的に補正することのできる対物レンズアクチュエータ１に関するものである。なお、第７の実施例に係る対物レンズアクチュエータは、ゲルホルダ４の突出部４１、４２、４３、４４の形状を除き、第１の実施例の対物レンズアクチュエータと同様の構成であるため、以下、突出部４１、４２、４３、４４の形状を中心に説明する。
【００７０】
第７の実施例においては、図１３に示すように、突出部４３のみが長く形成されるとともに、他の突出部４１、４２、４４が短く形成されている。突出部４３は、室温環境下において短辺側立ち上げ部３１と同じ高さであり、エポキシ接着剤を熱硬化させることでＰＣＢ５に固着される。一方、突出部４１、４２、４４は、突出部４３よりも短く形成されていて、雰囲気温度が変化してもＰＣＢ５に当接しないようになっている。
【００７１】
このような対物レンズアクチュエータでは、ＰＣＢ５は、室温環境下においてはフォーカス方向Ｆ及びトラッキング方向Ｔに対して略平行となるよう、短辺側立ち上げ部３１及び突出部４３により保持されている。短辺側立ち上げ部３１はベース２と同じ金属素材で形成されている。一方、突出部４３は、ベース２の金属素材よりも熱膨張率の高い、ゲルホルダ４と同じ樹脂素材で形成されている。
【００７２】
雰囲気温度が室温よりも高くなった場合には、上述したようにレンズホルダアセンブリ８はタンジェンシャル−方向及びラジアル＋方向に傾く。一方、突出部４３は、短辺側立ち上げ部３１の金属素材よりも熱膨張率の高い樹脂素材で形成されているため、突出部４３が短辺側立ち上げ部３１の表面よりも突出しＰＣＢ５の左下方を押圧し、ＰＣＢ５をタンジェンシャル＋方向及びラジアル−方向に傾ける。
【００７３】
ＰＣＢ５がタンジェンシャル＋方向及びラジアル−方向に傾くと、ワイヤ６を介してレンズホルダアセンブリ８にもタンジェンシャル＋方向及びラジアル−方向への傾きが発生する。このタンジェンシャル＋方向及びラジアル−方向への傾きにより、雰囲気温度の上昇に伴うレンズホルダアセンブリ８のタンジェンシャル−方向及びラジアル＋方向への傾きを相殺し、レンズホルダアセンブリ８を平行に保つことができる。
【００７４】
なお、本実施例においては、突出部４３がエポキシ接着剤を用いてＰＣＢ５に固着されているが、本発明においてはこれに限らず、他の種類の接着剤や、ビス等の固定手段を用いても良い。また、突出部４３をＰＣＢ５に固定せず、当接しているだけの状態としても良い。また、突出部４１、４２、４４を設けない構成としても良い。
【００７５】
＜第８の実施例＞
第８の実施例は、レンズホルダアセンブリ８が、雰囲気温度が室温よりも高くなったときにタンジェンシャル−方向及びラジアル−方向（図１参照）に傾く性質を有する場合に、これらの傾きを効果的に補正することのできる対物レンズアクチュエータ１に関するものである。なお、第８の実施例に係る対物レンズアクチュエータは、ゲルホルダ４の突出部４１、４２、４３、４４の形状を除き、第１の実施例の対物レンズアクチュエータと同様の構成であるため、以下、突出部４１、４２、４３、４４の形状を中心に説明する。
【００７６】
第８の実施例においては、図１４に示すように、突出部４４のみが長く形成されるとともに、他の突出部４１、４２、４３が短く形成されている。突出部４４は、室温環境下において短辺側立ち上げ部３１と同じ高さであり、エポキシ接着剤を熱硬化させることでＰＣＢ５に固着される。一方、突出部４１、４２、４３は、突出部４４よりも短く形成されていて、雰囲気温度が変化してもＰＣＢ５に当接しないようになっている。
【００７７】
このような対物レンズアクチュエータでは、ＰＣＢ５は、室温環境下においては光軸方向に対して略平行となるよう、短辺側立ち上げ部３１及び突出部４４により保持されている。短辺側立ち上げ部３１はベース２と同じ金属素材で形成されている。一方、突出部４４は、ベース２の金属素材よりも熱膨張率の高い、ゲルホルダ４と同じ樹脂素材で形成されている。
【００７８】
雰囲気温度が室温よりも高くなった場合には、上述したようにレンズホルダアセンブリ８はタンジェンシャル−方向及びラジアル−方向に傾く。一方、突出部４４は、短辺側立ち上げ部３１の金属素材よりも熱膨張率の高い樹脂素材で形成されているため、突出部４４が短辺側立ち上げ部３１の表面よりも突出しＰＣＢ５の右下方を押圧し、ＰＣＢ５をタンジェンシャル＋方向及びラジアル＋方向に傾ける。
【００７９】
ＰＣＢ５がタンジェンシャル＋方向及びラジアル＋方向に傾くと、ワイヤ６を介してレンズホルダアセンブリ８にもタンジェンシャル＋方向及びラジアル＋方向への傾きが発生する。このタンジェンシャル＋方向及びラジアル＋方向への傾きにより、雰囲気温度の上昇に伴うレンズホルダ８のタンジェンシャル−方向及びラジアル−方向への傾きを相殺し、レンズホルダアセンブリ８を平行に保つことができる。
【００８０】
なお、本実施例においては、突出部４４がそれぞれエポキシ接着剤を用いてＰＣＢ５に固着されているが、本発明においてはこれに限らず、他の種類の接着剤や、ビス等の固定手段を用いても良い。また、突出部４４をＰＣＢ５に固定せず、当接しているだけの状態としても良い。また、突出部４１、４２、４３を設けない構成としても良い。
【００８１】
上述した各実施例における各突出部４１、４２、４３、４４がそれぞれ突出した場合にＰＣＢ５に与える傾きの方向について以下にまとめる。突出部４１が突出すると、ＰＣＢ５にタンジェンシャル−方向及びラジアル＋方向の傾きを与える。突出部４２が突出すると、ＰＣＢ５にタンジェンシャル−方向及びラジアル−方向の傾きを与える。突出部４３が突出すると、ＰＣＢ５にタンジェンシャル＋方向及びラジアル−方向の傾きを与える。突出部４４が突出すると、ＰＣＢ５にタンジェンシャル＋方向及びラジアル＋方向の傾きを与える。
【００８２】
第１〜第４の実施例においては、これらの突出部４１、４２、４３、４４を２つずつ組み合わせて作用させている。
【００８３】
第１の実施例は、突出部４３、４４を組み合わせて作用させる構成となっている。この構成を用いた場合、突出部４３のラジアル−方向への押圧力と、突出部４４のラジアル＋方向への押圧力とが相殺され、ＰＣＢ５にラジアル方向の回転動作は生じない。一方、両突出部４３、４４のタンジェンシャル＋方向への押圧力が合わさるため、ＰＣＢ５に対して、突出部４３、４４が単独で作用するよりも大きなタンジェンシャル＋方向への押圧力が作用する。
【００８４】
第２の実施例は、突出部４１、４２を組み合わせて作用させる構成となっている。この構成を用いた場合、突出部４１のラジアル＋方向への押圧力と、突出部４２のラジアル−方向への押圧力とが相殺され、ＰＣＢ５にラジアル方向の回転動作は生じない。一方、両突出部４１、４２のタンジェンシャル−方向への押圧力が合わさるため、ＰＣＢ５に対して、突出部４１、４２が単独で作用するよりも大きなタンジェンシャル−方向への押圧力が作用する。
【００８５】
第３の実施例は、突出部４１、４４を組み合わせて作用させる構成となっている。この構成を用いた場合、突出部４１のタンジェンシャル−方向への押圧力と、突出部４４のタンジェンシャル＋方向への押圧力とが相殺され、ＰＣＢ５にタンジェンシャル方向の回転動作は生じない。一方、両突出部４１、４４のラジアル＋方向への押圧力が合わさるため、ＰＣＢ５に対して、突出部４１、４４が単独で作用するよりも大きなラジアル＋方向への押圧力が作用する。
【００８６】
第４の実施例は、突出部４２、４３を組み合わせて作用させる構成となっている。この構成を用いた場合、突出部４２のタンジェンシャル−方向への押圧力と、突出部４３のタンジェンシャル＋方向への押圧力とが相殺され、ＰＣＢ５にタンジェンシャル方向の回転動作は生じない。一方、両突出部４２、４３のラジアル−方向への押圧力が合わさるため、ＰＣＢ５に対して、突出部４２、４３が単独で作用するよりも大きなラジアル−方向への押圧力が作用する。
【００８７】
また、第５〜第８の実施例においては、突出部４１、４２、４３、４４を１つずつ作用させている。
【００８８】
第５の実施例においては、突出部４１のみを作用させている。この構成を用いた場合、突出部４１のタンジェンシャル−方向及びラジアル＋方向への押圧力がＰＣＢ５に作用する。なお、このタンジェンシャル−方向への押圧力は、第２の実施例において突出部４１、４２を組み合わせて用いた場合に発生するタンジェンシャル−方向への押圧力よりも小さくなる。また、このラジアル＋方向への押圧力は、第３の実施例において突出部４１、４４を組み合わせて用いた場合に発生するラジアル＋方向への押圧力よりも小さくなる。
【００８９】
第６の実施例においては、突出部４２のみを作用させている。この構成を用いた場合、突出部４２のタンジェンシャル−方向及びラジアル−方向への押圧力がＰＣＢ５に作用する。なお、このタンジェンシャル−方向への押圧力は、第２の実施例において突出部４１、４２を組み合わせて用いた場合に発生するタンジェンシャル−方向への押圧力よりも小さくなる。また、このラジアル−方向への押圧力は、第４の実施例において突出部４２、４３を組み合わせて用いた場合に発生するラジアル−方向への押圧力よりも小さくなる。
【００９０】
第７の実施例においては、突出部４３のみを作用させている。この構成を用いた場合、突出部４３のタンジェンシャル＋方向及びラジアル−方向への押圧力がＰＣＢ５に作用する。なお、このタンジェンシャル＋方向への押圧力は、第１の実施例において突出部４３、４４を組み合わせて用いた場合に発生するタンジェンシャル＋方向への押圧力よりも小さくなる。また、このラジアル−方向への押圧力は、第４の実施例において突出部４２、４３を組み合わせて用いた場合に発生するラジアル−方向への押圧力よりも小さくなる。
【００９１】
第８の実施例においては、突出部４４のみを作用させている。この構成を用いた場合、突出部４４のタンジェンシャル＋方向及びラジアル＋方向への押圧力がＰＣＢ５に作用する。なお、このタンジェンシャル＋方向への押圧力は、第１の実施例において突出部４３、４４を組み合わせて用いた場合に発生するタンジェンシャル＋方向への押圧力よりも小さくなる。また、このラジアル＋方向への押圧力は、第３の実施例において突出部４１、４４を組み合わせて用いた場合に発生するラジアル＋方向への押圧力よりも小さくなる。
【符号の説明】
【００９２】
１  対物レンズアクチュエータ
２  アクチュエータベース（ベース）
２１、２２  マグネット取り付け部
３  ホルダ取り付け部
３１  短辺側立ち上げ部
３２、３３  長辺側立ち上げ部
４  ゲルホルダ
４１、４２、４３、４４  突出部
５  ＰＣＢ
５１  固定部
５２  フロート部
６  ワイヤ
７  対物レンズ
８  レンズホルダアセンブリ
８１  フォーカスコイル
９、１０  トラッキングコイル
１１、１２  マグネット
【図１】
2010267314.tif 000003
【図２】
2010267314.tif 000004
【図３】
2010267314.tif 000005
【図４】
2010267314.tif 000006
【図５】
2010267314.tif 000007
【図６】
2010267314.tif 000008
【図７】
2010267314.tif 000009
【図８】
2010267314.tif 000010
【図９】
2010267314.tif 000011
【図１０】
2010267314.tif 000012
【図１１】
2010267314.tif 000013
【図１２】
2010267314.tif 000014
【図１３】
2010267314.tif 000015
【図１４】
2010267314.tif 000016
【図１５】
2010267314.tif 000017
【図１６】
2010267314.tif 000018